(57)【特許請求の範囲】
【請求項１】
凹部と、前記凹部と浴室の出入口部との間であって前記凹部の上面より高い位置に上面が設けられた縁部と、を有する硬質の基材層と、
前記凹部内に収容された弾性変形可能なクッション材と、前記凹部を覆うように前記クッション材の上に積層されると共に前記クッション材を介さずに前記縁部の上面に積層される可撓性と耐水性を有する表面材と、を有するクッション層と、
前記出入口部から前記表面材の表面上に延出して設けられたスロープ部材と、
前記スロープ部材と前記表面材との間から水が浸入することを防止するためにシーリング材で水密的にシールするシール部と、を備えた浴室用洗い場床であって、
前記スロープ部材の前記表面材と接する側の端部は、前記表面材における前記縁部の上に積層された部分の上に配置され、
前記シール部は、前記凹部より外方側の前記縁部の上方に配置されることを特徴とする浴室用洗い場床。
【請求項２】
前記表面材は、前記クッション材よりもクッション性の小さい材料から形成されていることを特徴とする請求項１記載の浴室用洗い場床。
【請求項３】
凹部と、前記凹部と浴室の出入口部との間であって前記凹部の上面より高い位置に上面が設けられた縁部と、を有する硬質の基材層と、
前記凹部の上面に積層されて前記凹部内に収容されるクッション部と、浴室内側に設けられて前記縁部の上面に積層され、前記クッション部よりも鉛直方向の変形量が極めて小さい周縁部と、を有し、少なくとも表面が耐水性を有するクッション層と、
浴室の出入口部から前記クッション層の表面上に延出して設けられたスロープ部材と、
前記スロープ部材と前記クッション層の表面との間から水が浸入することを防止するためにシーリング材で水密的にシールするシール部と、を備えた浴室用洗い場床であって、
前記スロープ部材の前記クッション層の表面と接する側の端部は、前記縁部の上面に積層された前記周縁部に配置され、
前記シール部は、前記凹部より外方側の前記縁部の上方に配置されることを特徴とする浴室用洗い場床。
【請求項４】
前記縁部の上面に積層される前記クッション層の前記周縁部の厚みは、鉛直方向にほとんど弾性変形しない程度の厚みであることを特徴とする請求項３記載の浴室用洗い場床。
【請求項５】
前記縁部の上面に積層される前記クッション層の前記周縁部に、１００Ｎ／ｃｍ２の荷重を加えた際の鉛直方向の変形量は、０．５ｍｍ〜２．０ｍｍであることを特徴とする請求項３または４に記載の浴室用洗い場床。
【請求項６】
前記基材層の一体成形により、前記凹部と前記縁部とが一体に形成されたことを特徴とする請求項１〜５のいずれか１つに記載の浴室用洗い場床。
【請求項７】
前記基材層はフラットな上面部を有し、
前記縁部は、前記上面部の上に設けられ前記上面部とは別体の硬質な縁部材であることを特徴とする請求項１〜５のいずれか１つに記載の浴室用洗い場床。
【発明の詳細な説明】
【技術分野】
【０００１】
本発明は、浴室用洗い場床に関する。
【背景技術】
【０００２】
従来より、浴室の洗い場床にクッション性を付与する構造が提案されている。例えば、特許文献１には、ＦＲＰ（Fiber Reinforced Plastic）からなる基材と、発泡層と、軟質材からなる表面層とを順に積層し一体化した浴室洗い場床が開示されている。また、特許文献２には、ゴム弾性体の内部に液収容空所を形成してなるクッション材を固定状態に設置した上、液収容空所に、水、湯等の液を収容して洗い場床を構築した構造が開示されている。
【特許文献１】特開２００１−２４５８１４号公報
【特許文献２】特開平９−１２２０２８号公報
【発明の開示】
【発明が解決しようとする課題】
【０００３】
浴室の出入口部において、段差をなくし浴室への出入りを容易にするため、浴室の出入口部から洗い場床面上まで緩やかな傾斜面を形成するためのスロープ部材が設けられることがあるが、その場合、スロープ部材とクッション層との間から水が浸入しないようにするため、スロープ部材とクッション層との間はシリコンや目地部材などのシーリング材で水密性を確保することが必要となる。
【０００４】
クッション層は、洗い場床面上から荷重がかかると、上下方向に伸び縮み（可動）するものであるが、スロープ部材とのシール部も同様に上下方向に伸び縮みしてしまうと、その部分に設けたシリコンが切れたり、目地部材が外れてしまい、水密性が損なわれたり、見栄えが悪くなる問題が懸念される。
【０００５】
本発明は上述の問題に鑑みてなされ、洗い場床に柔らかさを付与しつつ、且つ、スロープ部材とクッション層との間に水が浸入しないようにするためのシーリング材が、長期に使用しても切れたり外れたりすることのない浴室用洗い場床を提供する。
【課題を解決するための手段】
【０００６】
本発明の一態様によれば、凹部と、前記凹部と浴室の出入口部との間であって前記凹部の上面より高い位置に上面が設けられた縁部と、を有する硬質の基材層と、前記凹部内に収容された弾性変形可能なクッション材と、前記凹部を覆うように前記クッション材の上に積層されると共に前記クッション材を介さずに前記縁部の上面に積層される可撓性と耐水性を有する表面材と、を有するクッション層と、前記出入口部から前記表面材の表面上に延出して設けられたスロープ部材と、前記スロープ部材と前記表面材との間から水が浸入することを防止するためにシーリング材で水密的にシールするシール部と、を備えた浴室用洗い場床であって、前記スロープ部材の前記表面材と接する側の端部は、前記表面材における前記縁部の上に積層された部分の上に配置され、前記シール部は、前記凹部より外方側の前記縁部の上方に配置されることを特徴とする浴室用洗い場床が提供される。
【０００７】
また、本発明の他の一態様によれば、凹部と、前記凹部と浴室の出入口部との間であって前記凹部の上面より高い位置に上面が設けられた縁部と、を有する硬質の基材層と、前記凹部の上面に積層されて前記凹部内に収容されるクッション部と、浴室内側に設けられて前記縁部の上面に積層され、前記クッション部よりも鉛直方向の変形量が極めて小さい周縁部と、を有し、少なくとも表面が耐水性を有するクッション層と、浴室の出入口部から前記クッション層の表面上に延出して設けられたスロープ部材と、前記スロープ部材と前記クッション層の表面との間から水が浸入することを防止するためにシーリング材で水密的にシールするシール部と、を備えた浴室用洗い場床であって、前記スロープ部材の前記クッション層の表面と接する側の端部は、前記縁部の上面に積層された前記周縁部に配置され、前記シール部は、前記凹部より外方側の前記縁部の上方に配置されることを特徴とする浴室用洗い場床が提供される。
【発明の効果】
【０００８】
本発明によれば、洗い場床に柔らかさを付与しつつ、且つ、スロープ部材とクッション層との間に水が浸入しないようにするためのシーリング材が、長期に使用しても切れたり外れたりすることのない浴室用洗い場床が提供される。
【発明を実施するための最良の形態】
【０００９】
浴室の洗い場床に柔らかさを付与するために、弾性変形可能なクッション性を有する材料で洗い場床を構成することが考えられるが、クッション性を有する例えば発泡体は耐水性、耐薬品性、耐衝撃性など、洗い場床として求められる基本性能に優れず、クッション性を有する材料だけで構成した洗い場床は商品として提供しにくい。また、クッション性を有する材料としては発泡体以外にもゴム材があるが、ゴム材はゴム臭がするため、そのような材料を気密性の高い浴室内に、洗い場床という比較的広い面積にわたって用いるのは好ましくない。
【００１０】
したがって、発泡体を洗い場床におけるクッション層として設けた場合、浴室内側に露出する表面には、耐水性などのユニットバスの基本性能を満足する特性を付与する必要がある。
【００１１】
前述したような特性を満足するクッション層は荷重を支えるのに十分な強度を確保しにくく、別途、クッション層より荷重を支えるための強度の大きな基材層が必要となる。すなわち、洗い場床に柔らかさを付与しつつ、洗い場床として求められる最低限の基本性能を確保するためには少なくとも表面に耐水性を有するクッション層と、十分な強度を有する基材層とを組み合わせた構造にすることが望ましい。
【００１２】
［第１の実施形態］
図１は、本発明の第１の実施形態に係る浴室用洗い場床の模式断面図である。
【００１３】
本実施形態に係る洗い場床は、硬質の基材層１と、基材層１の上に積層されたクッション性を有するクッション層３とを備える。
【００１４】
基材層１は、浴室外に湯水を漏出させない防水性、および壁パネル、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００１５】
基材層１は概略浅底パン形状に形成され、基材層１には凹部２が設けられている。凹部２は基材層１の上面視における大部分の面積を占め、凹部２と、浴室の出入口部４０との間には、凹部２の上面（底面）よりも一段高くされた縁部１ｂが設けられている。
【００１６】
図２は基材層１の模式斜視図を示し、基材層１の一部には排水ピット１５が開口形成されている。基材層１の最外縁部には、上方に立ち上がった水返し壁として機能する側壁部１ａが設けられている。縁部１ｂは、浴室の出入口部に対応する一部分にのみ設けられている。
【００１７】
基材層１は硬質材（例えばＦＲＰ）を熱間成型することにより一体成形され、よって、凹部２、縁部１ｂおよび側壁部１ａは一体に形成される。
【００１８】
クッション層３は、いずれも基材層１よりも軟質なクッション材４および表面材５から構成される。
【００１９】
クッション材４は、基材層１の凹部２に全体が収容され、凹部２の上面（底面）に例えば両面テープ等の接着剤により接着固定される。クッション材４は、弾性変形可能であり、例えばウレタン等の発泡体からなる。なお、クッション材４は弾性変形可能なゴム材であっても構わないが、ゴム臭のない発泡体の方が気密性の高い浴室の洗い場床として利用するには好ましい。
【００２０】
表面材５は、クッション材４の上面及び凹部２を覆うようにクッション材４に積層され、例えば両面テープ等の接着材でクッション材４の上面に接着固定される。表面材５の一部は、クッション材４よりも出入口部４０側に延出し、クッション材４を介さずに基材層１の縁部１ｂの上面に例えば両面テープ等の接着材で接着固定される。
【００２１】
表面材５の表面は浴室内に露出し、使用者が触れたり、湯水にさらされる面となる。表面材５は、耐水性、耐薬品性、耐衝撃性などを有すると共に、下層のクッション材４の弾性変形に追従可能な可撓性を有する。表面材５は基材層１よりも軟質ではあるが、クッション材４よりはクッション性（鉛直方向の変形量）が小さく、表面材５は、例えば、基材層１に用いるＦＲＰよりも軟質なＦＲＰを用いることができ、且つクッション材４よりも薄い。
【００２２】
また、図３に示すように、表面材５の表面には排水口または排水流し溝に連続して形成される溝５ａが形成されている。この溝５ａは、表面材５の表面上を排水口に向けて流れる湯水の排水流路として機能する。この溝５ａは、排水口または排水流し溝まで水を途切れることなく連続的に存在させることが可能な排水流路となっている。この溝５ａによって、翌朝には、洗い場床面上に大きな水玉が残ることなく洗い場床面上を乾燥させることが可能となる。また、表面材５の表面に溝５ａを形成することで、表面材５の表面に凹凸が形成され、洗い場床面が滑りにくくなる効果も得られる。
【００２３】
基材層１、クッション材４および表面材５の積層構造を得るにあたっては、それらを一体に熱間成型することにより相互に溶着固定させてもよいし（インサート成形）、基材層１の成型加工後に、その凹部２の上面（底面）に対してクッション材４を例えば両面テープ等の接着材を用いて貼り付け、さらにそのクッション材４の表面に例えば両面テープ等の接着材を用いて表面材５を貼り付けてもよい。
【００２４】
本実施形態に係る洗い場床はクッション層３を備えるので、使用者がひざをついても痛くないやわらかな感触が得られる。また、床が足になじみ、濡れた足でも滑りにくくできる。さらに、例えば洗面器を床に落としても音が響かない。さらに、使用者が冷たさを感じにくい。
【００２５】
表面材５と基材層１との線膨張率が異なると、熱が加わった際に各層の境界面に異なるせん断力が働き、剥がれるおそれがある。特に、洗い場床は、トラック搬送時に約６５℃の環境下に置かれることがあったり、実使用において約４０℃の温水がかかることがある。このように洗い場床というものは、大きな温度変化がある環境下に置かれるものなので、線膨張および線収縮が起きるおそれがあり、対策が必要である。
【００２６】
表面材５と基材層１とが近似した線膨張率の材料で形成されていると、それら間に挟まれて接着されているクッション材４に対してのせん断力はクッション材４の上面と下面側とで略等しくなるため、クッション材４が水平方向に伸縮することで発生する各層境界面での剥がれの可能性を低減できることになる。
【００２７】
ここで、各層の接着力を強力にしておくことで線膨張による剥がれを防止する策も考えられるが、本実施形態によれば、該接着力のみに依存せずに剥がれを防止することができる。具体的に、本実施形態では、表面材５と基材層１はそれぞれ線膨張率の近似した材料を採用することにより、各層の線膨張の違いによる剥がれという不安要素を軽減している。特に、表面材５を、洗い場床材として広く一般に用いられているＦＲＰよりも薄く且つ軟質なＦＲＰにすることで、基材層１を表面材５と同質で従来同様のＦＲＰを利用することができるため好ましい。尚、軟質のＦＲＰは、親水素材となるため、洗い場床面上の排水性にとっても有利である。
【００２８】
浴室の出入口部４０にはドアＤＲが設置される。ドアＤＲの周囲四方はドア枠で囲まれ、そのドア枠に対してドアＤＲは開閉自在に取付保持されている。図１にはドア下枠３０のみ図示している。ドア下枠３０は、基材層１における凹部２及び縁部１ｂよりも外方側（出入口部４０側）の最外縁部に設けられる。
【００２９】
そのドア下枠３０からは、浴室内の表面材５上に向けてスロープ部材３１が延出している。スロープ部材３１とドア下枠３０とは一体であってもよいし別体であってもよい。スロープ部材３１は、出入口部４０側から表面材５上に向かう方向に緩やかに下向き傾斜しており、これにより、出入口部４０と浴室内の表面材５上との間に段差がなく、バリアフリーとなっている。
【００３０】
スロープ部材３１の表面材５表面と接する側の端部は、表面材５における基材層縁部１ｂの上に積層された部分５ｂの上に配置され、その部分に、スロープ部材３１と表面材５との間から水が浸入してクッション層３の裏側にまわりこむことを防止するためのシール部１０が設けられている。具体的には、例えばシリコンや目地部材などのシーリング材１１によって、スロープ部材３１と表面材５表面との間の隙間が水密的にシール（封止）されている。
【００３１】
このシーリング材１１が設けられた表面材５の部分５ｂ及びスロープ部材３１の端部は、クッション材４を介さずに硬質の基材層１の縁部１ｂの上に支持されているため、使用者の出入りに際して上方から荷重がかかっても厚さ方向（鉛直方向）に大きく撓むことがなく、また撓むことがないため、撓んだ（沈み込んだ）状態から上方に大きく復元することもない。すなわち、シーリング材１１が設けられた部分が上下に大きく変動することがない。したがって、シーリング材１１を引っ張ったり、浮き上がらせるような大きな応力が作用せず、シーリング材１１が切れたり、外れたりすることがない。この結果、シール性及び見栄えを損ねない。
【００３２】
すなわち、本実施形態によれば、洗い場床に柔らかさを付与しつつ、且つ、スロープ部材３１とクッション層３との間に水が浸入しないようにするためのシーリング材１１が、長期に使用しても切れたり外れたりすることのない洗い場床を提供することができる。
【００３３】
［第２の実施形態］
図４は、本発明の第２の実施形態に係る浴室用洗い場床の模式断面図である。
【００３４】
本実施形態に係る洗い場床も、硬質の基材層２１と、基材層２１の上に積層されたクッション性を有するクッション層２３とを備える。
【００３５】
基材層２１は、浴室外に湯水を漏出させない防水性、および壁パネル、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００３６】
基材層２１は、浅底パン状の基材部２２と、この基材部２２の上面部（底面部）２２ｂ上に、基材部２２とは別体として設けられた縁部材６とを有する。この縁部材６は、上記第１の実施形態における縁部１ｂに対応する構成要素であり、縁部材６はクッション層２３よりも硬質な材料からなる。また、基材部２２の最外縁部には、上方に立ち上がった水返し壁として機能する側壁部２２ａが設けられている。
【００３７】
基材部２２の上面部２２ａの上面はフラットに形成され、その上面における出入口部４０の近傍に、縁部材６が接着固定または溶着固定されている。縁部材６は、前述した第１の実施形態の縁部１ｂと同様に、凹部２と出入口部４０との間に、凹部２の上面（底面）よりも一段高くして設けられている。縁部材６は、浴室の出入口部４０に対応する一部分にのみ設けられている。
【００３８】
クッション層２３は、クッション性を有すると共に少なくとも浴室内側に露出する表面が耐水性を有する。例えば、型内発泡のモールド体は緻密なスキン層が得られ、その緻密なスキン層によって表面に耐水性を付与しつつ、クッション性も有する構造が可能である。
【００３９】
クッション層２３の大部分を占めるクッション部２３ｂは、基材層２１の凹部２に収容され、その凹部２の上面（底面）に例えば両面テープ等の接着材により接着固定される。クッション部２３ｂは、弾性変形可能であり、例えばウレタン等の発泡体からなる。
【００４０】
クッション層２３の表面は、浴室内に露出し、使用者が触れたり、湯水にさらされる面となるため、耐水性、耐薬品性、耐衝撃性を有し、またクッション部２３ｂの弾性変形に追従可能な可撓性を有する。
【００４１】
クッション層２３の浴室内側に位置する表層部分において、浴室の出入口部４０側の周縁部２３ａは、凹部２及び縁部材６よりも出入口部４０側に延出し、その周縁部２３ａは、クッション部２３ｂを介さずに基材層２１の縁部材６の上面に積層されている。周縁部２３ａは、例えば両面テープ等の接着材で縁部材６の上面に接着固定される。
【００４２】
周縁部２３ａは、クッション部２３ｂよりも厚みが薄いため鉛直方向の変形量が極めて小さく、具体的には、周縁部２３ａの厚みを、鉛直方向にほとんど弾性変形しない程度の厚み（８ｃｍ以下、好ましくは５ｃｍ以下、より好ましくは２ｃｍ以下）とすることで、周縁部２３ａに１００Ｎ／ｃｍ２の荷重を加えた際の鉛直方向の変形量を０．５ｍｍ〜２．０ｍｍに抑えている。このように、クッション部２３ｂと周縁部２３ａとを有するクッション層２３は、浴室内側に面する表面が１／５０程度の僅かな排水勾配を有する平面から形成されている。一方、裏面はクッション部２３ｂが周縁部２３ａより厚く形成されている。
【００４３】
図４においても図１と同様、浴室ドアＤＲを囲むドア枠のうちドア下枠３０のみ図示している。ドア下枠３０は、基材層２１における凹部２及び縁部材６よりも外方側（出入口部４０側）の最外縁部に設けられる。
【００４４】
そのドア下枠３０からは、浴室内のクッション層２３表面上に向けてスロープ部材３１が延出している。スロープ部材３１は、出入口部４０側からクッション層２３表面上に向かう方向に緩やかに下向き傾斜しており、これにより、出入口部４０と浴室内のクッション層２３表面との間に段差がなく、バリアフリーとなっている。
【００４５】
スロープ部材３１のクッション層２３表面と接する側の端部は、クッション層２３における基材層縁部材６の上に積層された周縁部２３ａの上に配置され、その部分に、スロープ部材３１とクッション層２３との間から水が浸入してクッション層２３の裏側にまわりこむことを防止するためのシール部１０が設けられている。具体的には、例えばシリコンや目地部材などのシーリング材１１によって、スロープ部材３１とクッション層２３表面との間の隙間が水密的にシール（封止）されている。
【００４６】
このシーリング材１１が設けられたクッション層２３の周縁部２３ａ及びスロープ部材３１の端部は、クッション２３ｂを介さずに硬質の縁部材６の上に支持されているため、使用者の出入りに際して上方から荷重がかかっても厚さ方向（鉛直方向）に大きく撓むことがなく、また撓むことがないため、撓んだ（沈み込んだ）状態から上方に大きく復元することもない。すなわち、シーリング材１１が設けられた部分が上下に大きく変動することがない。したがって、シーリング材１１を引っ張ったり、浮き上がらせるような大きな応力が作用せず、シーリング材１１が切れたり、外れたりすることがない。この結果、シール性及び見栄えを損ねない。
【００４７】
すなわち、本実施形態においても、洗い場床に柔らかさを付与しつつ、且つ、スロープ部材３１とクッション層２３との間に水が浸入しないようにするためのシーリング材１１が、長期に使用しても切れたり外れたりすることのない洗い場床を提供することができる。
【００４８】
以上、具体例を参照しつつ本発明の実施形態について説明した。しかし、本発明は、それらに限定されるものではなく、本発明の技術的思想に基づいて種々の変形が可能である。
【００４９】
第１の実施形態における一体構造の基材層１に対して、第２の実施形態で示した単層構造のクッション層２３を組み合わせてもよいし、第２の実施形態で示した別体構造の基材層２１に対して第１の実施形態の２層構造のクッション層３を組み合わせてもよい。
【図面の簡単な説明】
【００５０】
【図１】本発明の第１の実施形態に係る浴室用洗い場床の模式断面図。
【図２】図１に示す洗い場床における基材層の模式斜視図。
【図３】同洗い場床における表面材表面の拡大図。
【図４】本発明の第２の実施形態に係る浴室用洗い場床の模式断面図。
【符号の説明】
【００５１】
１…基材層、２…凹部、３…クッション層、４…クッション材、５…表面材、１０…シール部、１１…シーリング材、２１…基材層、２３…クッション層、３０…ドア下枠、３１…スロープ部材、４０…出入口部、ＤＲ…浴室ドア
【図１】
0005088554.tif 000002
【図２】
0005088554.tif 000003
【図３】
0005088554.tif 000004
【図４】
0005088554.tif 000005